(57)【要約】【課題】友人やサークル等のメンバー同士が簡単な操作で共通の放送番組を自動的に予約録画することができる番組記録再生装置を提供し、共通の話題を持ち易くしてコミュニケーションの充実と拡大を図る。【解決手段】番組記録再生装置Ａ-1は、リモコン操作で作成した自機番組予約リストをメモリ２２にセーブすると共に、インターネット１０を介して他の番組記録再生装置Ｂ,Ｃ,Ｄに番組予約リストの送信要求を行い、受信した各装置Ｂ,Ｃ,Ｄの番組予約リストもメモリ２２にセーブする。そして、自機番組予約リストを最優先させること、及び各装置Ｂ,Ｃ,Ｄの番組予約リスト相互間では出現頻度が高い放送番組を優先させることを条件として、各番組予約リストの論理和をとって合成編成した番組予約リストを作成し、その作成したリストを適用して予約録画を実行させる。【選択図】図１
2006295571.tif 000002
【特許請求の範囲】
【請求項１】
放送番組の予約録画機能を有する番組記録再生装置において、
自機で設定された番組予約情報を記憶する第１記憶手段と、
記憶媒体又は通信ネットワークを介して他の複数の番組記録再生装置で設定されている各番組予約情報を取り込む情報取得手段と、
前記情報取得手段が取り込んだ各番組予約情報を記憶する第２記憶手段と、
前記第２記憶手段の各番組予約情報から個別放送番組の予約頻度を求める情報解析手段と、
前記第１記憶手段の番組予約情報に組み込まれている放送番組を優先させること、及び前記第２記憶手段の各番組予約情報の相互間で同一時間帯に異なる放送番組がある場合には前記情報解析手段が求めた予約頻度が高い方の放送番組を優先させることを条件として、新規に合成編成した番組予約情報を生成する情報生成手段と
を備え、前記情報生成手段が生成した番組予約情報を最終的に確定した番組予約情報として設定することを特徴とする番組記録再生装置。
【請求項２】
前記情報生成手段が、前記第２記憶手段の各番組予約情報に含まれている放送番組の内で、前記情報解析手段が求めた予約頻度が所定値よりも高いものだけを、新規に編成する番組予約情報に組み込むこととした請求項１に記載の番組記録再生装置。
【請求項３】
放送番組の予約録画機能を有する複数の番組記録再生装置が通信ネットワークを介して接続されており、
各番組記録再生装置は、
自機で設定された番組予約情報を記憶する第１記憶手段と、
前記第１記憶手段の番組予約情報が更新される度に前記通信ネットワーク上の他の複数の番組記録再生装置へ更新後の番組予約情報を送信し、また前記通信ネットワーク上の前記他の複数の番組記録再生装置から送信された更新後の番組予約情報を受信する通信手段と、
前記通信手段が受信した各番組予約情報を記憶する第２記憶手段と、
前記第２記憶手段の各番組予約情報から個別放送番組の予約頻度を求める情報解析手段と、
前記第１記憶手段の番組予約情報に組み込まれている放送番組を優先させること、及び前記第２記憶手段の各番組予約情報の相互間で同一時間帯に異なる放送番組がある場合には前記情報解析手段が求めた予約頻度が高い方の放送番組を優先させることを条件として、新規に合成編成した番組予約情報を生成する情報生成手段と
を備え、
前記通信ネットワーク上の前記各番組記録再生装置が前記情報生成手段によって生成された番組予約情報を最終的に確定した番組予約情報として設定することを特徴とする番組記録再生システム。
【発明の詳細な説明】
【技術分野】
【０００１】
本発明は放送番組の予約録画機能を有する番組記録再生装置及び番組記録再生システムに係り、他の視聴者と同一の放送番組を自動的に予約録画して視聴後に話題を共有できるようにするための改良に関する。
【背景技術】
【０００２】
最近のデジタルテレビジョン（ＴＶ）放送の殆どでは電子番組ガイド（Electronic Program Guide）を送信するための規格が定まっており、受信機側で番組表を見ることが可能である。また、アナログ放送でも、垂直帰線区間にデータを重畳することによって電子番組ガイドを送信して対応受信機で受信させる方式やインターネット経由でデータを配信する方式等が実現されている。
【０００３】
そして、放送番組を記録するＨＤＤ（ハードディスク装置）搭載のＤＶＤレコーダ等では、電子番組ガイドが放送予定番組の番組名、チャンネル番号、放送時間、コンテンツの簡単な説明等を含んでいることを利用した番組予約システムを備えていることが多く、電子番組ガイドをグラフィカルに一覧表示させた状態でリモコンから番組を選択する方式を採用することにより番組予約操作を簡便化している。
【０００４】
また、下記特許文献１には、家庭内に複数の番組記録再生装置が存在する場合において、その各装置をBLUETOOTHS等のワイヤレスインターフェイスで接続し、マスターとなる装置の予約番組情報を用いてスレーブ側の各装置に対して番組予約を行う方法が開示されており、更に、下記特許文献２には、外出先からインターネットを介して自宅の番組記録再生装置に対して番組予約を行う方法が開示されている。
【特許文献１】特開２００３−９０１４号公報
【特許文献２】特開２００４−１８６８２６号公報
【発明の開示】
【発明が解決しようとする課題】
【０００５】
ところで、ＴＶ放送番組は友人やサークル等のグループ内で共通の話題になり易く、相互にコミュニケーションの場を拡げる切っ掛けになることが多いが、従来の番組記録再生装置における番組予約方式では、個人又は家庭が所有する１台又は複数台の番組記録再生装置に対しての番組予約操作を簡単にするための解決策が示されているだけであり、前記のように一定の関係を有する他人同士が自動的に同じ放送番組を視聴できるようにするような番組予約機能を与えるものではない。
【０００６】
従って、各人が特定の放送番組を電話や電子メールで相互に通知し合い、それぞれ自分の番組記録再生装置に逐一予約登録するという方法が採られているが、前記のように電子番組ガイドを利用した番組予約によって操作の簡便化が実現されているものの、放送番組の数が多くなると操作が面倒で煩雑になり、また通知の際に情報交換の徹底が図れない等の理由から、実際には所要の目的をうまく達成できない場合が多い。そこで、本発明は、友人やサークル等のメンバーが所有する複数台の番組記録再生装置で共通の放送番組を記録できるように、各装置に自動的に番組予約情報を共有させることを目的として創作された。
【課題を解決するための手段】
【０００７】
本発明は、放送番組の予約録画機能を有する番組記録再生装置において、自機で設定された番組予約情報を記憶する第１記憶手段と、記憶媒体又は通信ネットワークを介して他の複数の番組記録再生装置で設定されている各番組予約情報を取り込む情報取得手段と、前記情報取得手段が取り込んだ各番組予約情報を記憶する第２記憶手段と、前記第２記憶手段の各番組予約情報から個別放送番組の予約頻度を求める情報解析手段と、前記第１記憶手段の番組予約情報に組み込まれている放送番組を優先させること、及び前記第２記憶手段の各番組予約情報の相互間で同一時間帯に異なる放送番組がある場合には前記情報解析手段が求めた予約頻度が高い方の放送番組を優先させることを条件として、新規に合成編成した番組予約情報を生成する情報生成手段とを備え、前記情報生成手段が生成した番組予約情報を最終的に確定した番組予約情報として設定することを特徴とする番組記録再生装置に係る。
【０００８】
本発明の番組記録再生装置では、他の複数の番組記録再生装置で設定されている各番組予約情報を記憶媒体又は通信ネットワークを介して取り込み、情報解析手段で個別放送番組の予約頻度を求めておき、情報生成手段が自機及び他の複数の番組記録再生装置で設定された各番組予約情報と前記予約頻度を用いて自機の最終的に確定した番組予約情報を設定する。その場合、自機の番組予約情報は最優先で組み込まれ、他の複数の番組記録再生装置で設定された各番組予約情報については同一時間帯で異なる放送番組が設定されていることがあり得るため、予約頻度が高い方を優先的に組み込むという条件に基づいて設定される。従って、本発明の番組記録再生装置のユーザ相互間では、番組予約情報を記録した記憶媒体を交換し合うことにより、又は通信ネットワークを通じて自らの番組予約情報を送受信し合うことにより、自分の番組記録再生装置に他者の番組予約情報を取り込むことができると共に、自分が予約した放送番組を中心として、他者がより多く予約している放送番組を組み込んだ“最終的に確定した番組予約情報”を自動的に設定できる。
【０００９】
前記発明の情報生成手段による条件で最終的に確定した番組予約情報を設定すると、長時間に亘る時間帯で放送番組が予約されて大きな記録容量が必要になる場合が多くなる。その問題については、前記情報生成手段を、前記第２記憶手段の各番組予約情報に含まれている放送番組の内で、前記情報解析手段が求めた予約頻度が所定値よりも高いものだけを、新規に編成する番組予約情報に組み込む手段として構成すれば、本発明の有効性をそれほど損なわずに前記記録容量の低減化を図れる。
【００１０】
尚、本発明は次のような番組記録再生システムとして構成することができる。放送番組の予約録画機能を有する複数の番組記録再生装置が通信ネットワークを介して接続されており、各番組記録再生装置は、自機で設定された番組予約情報を記憶する第１記憶手段と、前記第１記憶手段の番組予約情報が更新される度に前記通信ネットワーク上の他の複数の番組記録再生装置へ更新後の番組予約情報を送信し、また前記通信ネットワーク上の前記他の複数の番組記録再生装置から送信された更新後の番組予約情報を受信する通信手段と、前記通信手段が受信した各番組予約情報を記憶する第２記憶手段と、前記第２記憶手段の各番組予約情報から個別放送番組の予約頻度を求める情報解析手段と、前記第１記憶手段の番組予約情報に組み込まれている放送番組を優先させること、及び前記第２記憶手段の各番組予約情報の相互間で同一時間帯に異なる放送番組がある場合には前記情報解析手段が求めた予約頻度が高い方の放送番組を優先させることを条件として、新規に合成編成した番組予約情報を生成する情報生成手段とを備え、前記通信ネットワーク上の前記各番組記録再生装置が前記情報生成手段によって生成された番組予約情報を最終的に確定した番組予約情報として設定することを特徴とする番組記録再生システム。
【発明の効果】
【００１１】
本発明の番組記録再生装置及び番組記録再生システムは、友人やサークル等のメンバーが所有する複数台の番組記録再生装置に対して自動的に番組予約情報を共有させることにより共通の放送番組を録画・視聴できるようにし、放送番組を話題としたコミュニケーションの場の充実と拡大を実現する。
【発明を実施するための最良の形態】
【００１２】
以下、本発明の番組記録再生装置及び番組記録再生システムの実施形態を図面に基づいて説明する。
［実施形態１］
先ず、図１はこの実施形態に係る番組記録再生装置Ａ-1をブロック図で示すと共に、その番組記録再生装置Ａ-1と他の番組記録再生装置Ｂ，Ｃ，Ｄとがインターネット１０を介して接続されているネットワーク構成を示す。ここで、各番組記録再生装置Ａ-1，Ｂ，Ｃ，Ｄは地上波デジタルＴＶ放送・ＣＳ／ＢＳ-ＴＶ放送に対応したものであって、電子番組ガイドを利用した番組予約システムを備えていると共に、後述する番組予約リストの設定について同様の機能を備えているものとする。
【００１３】
同図の番組記録再生装置Ａ-1において、１１は前記地上波デジタルＴＶ放送・ＣＳ／ＢＳ-ＴＶ放送に対応した同調回路とその同調信号を復調・デコードして映像・音声信号に変換するＴＶチューナ部、１２は指定記録レートで映像信号と音声信号をデジタル信号にエンコードして多重化するＥＮＣ（エンコーダ）部、１３はＨＤＤ（ハードディスク装置）、１４はＤＶＤドライブ、１５はＥＮＣ部１２でエンコード・多重化された映像・音声信号をＨＤＤ１３又はＤＶＤドライブ１４のメディアに対応した記録信号に変換すると共に、各ドライブ１３,１４に対するＲ／Ｗ制御を実行するドライブＩ／Ｆ（インターフェイス）、１６はドライブＩ／Ｆ１５を介して読み出された信号をデコードしてアナログの映像・音声信号に変換するＤＥＣ（デコーダ）部、１７は各種設定値をディスプレイの一部に表示させて表示条件を設定させるＯＳＤ（On Screen Display）部、１８はリモコン（図示せず）からの操作指示信号を変調した近赤外光を受光する受光部、１９は受光部１８の出力信号を復調してデジタル信号に変換するリモコンＩ／Ｆ、２０はインターネット１０を介して他の番組記録再生装置Ｂ，Ｃ，Ｄとの通信を行うネットワークＩ／Ｆ、２１はシステム全体を制御する制御部（ＭＰＵ：Micro Processing Unit）、２２は制御部２１が各種制御情報の格納領域やワークエリアとして用いるメモリ、２３はタイマである。
【００１４】
図１の構成において、通常の番組録画予約は次のように行われる。先ず、アンテナで受信した電子番組ガイドがＴＶチューナ部１１で復調・デコードされると、制御部２１がそれを取り込んで録画予約用のグラフィックイメージに変換し、それを一旦メモリ２１にセーブする。そして、リモコンの操作によって録画予約モードが設定されると、制御部２１は前記イメージデータをメモリ２１からＯＳＤ部１７へ出力し、ＯＳＤ部１７が外部のモニタ（図示せず）へ出力させて録画予約画面を表示させる。ユーザはその録画予約画面を見ながらリモコンを操作して録画予約する放送番組を選択するが、確定された予約番組は自機番組予約リストとしてメモリ２２の所定領域にセーブされる。この番組予約リストは、図２に示すように、放送番組を記録する年月日、記録開始及び記録終了の時刻、記録するチャンネル番号、番組名、記録対象メディア（ＨＤ又はＤＶＤ）、及び記録レートからなる。また、自機に係るものであることを識別できるように、それらデータに自機の機器ＩＤが付加されている。
【００１５】
そして、この番組記録再生装置Ａ-1における通常の予約録画モードでは、メモリ２２にセーブした前記自機番組予約リストをそのまま用い、制御部２１は次のような手順で予約された放送番組を順次録画する。（１）自機番組予約リストにおいて最も近い開始時刻が設定されている放送番組を確認し、その開始時刻と終了時刻をメモリ２２のワークエリアにセットしてシステムをスリープモードに設定する。（２）前記スリープモードにおいてタイマ２３のカウント時刻を監視し、メモリ２２にセットされている開始時刻になると、システムを記録モードに切り換える。（３）記録モードになると直ちにＴＶチューナ部１１を開始時刻に対応する放送番組のチャンネルの選局状態に設定し、ＴＶチューナ部１１で受信してＥＮＣ部１２によってエンコード・多重化処理された映像・音声信号をドライブＩ／Ｆ１５によって指定メディアに指定レートで記録させる。（４）放送番組の記録中においてタイマ２３のカウント時刻を監視しており、メモリ２２にセットされている終了時刻になると、記録モードを終了させた後、記録が完了した放送番組に係る自機番組予約リストのデータを消去する。（５）データ消去後の自機番組予約リストにおいて最も近い開始時刻が設定されている放送番組を次に録画すべき放送番組として、その開始時刻と終了時刻をメモリ２２のワークエリアにセットしてシステムをスリープモードに設定し、以降、前記手順を自機番組予約リストのデータが全て消去されるまで（１）〜（４）の手順を繰り返す。
【００１６】
一方、録画した放送番組の再生に際しては、ユーザがリモコンを操作して再生モードを設定し、録画済みの放送番組のリストをＯＳＤ部１７からモニタへ出力させ、そのリスト画面において再生すべき放送番組を選択する。その結果、選択された放送番組を記録したメディアに対応するドライブ１３,１４が起動せしめられ、メディアから読み出された映像・音声信号がＤＥＣ部１６でデコードされた後、ＯＳＤ部１７からモニタへ出力されて再生される。
【００１７】
ところで、以上の説明は自機番組予約リストの作成とそのリストに基づいた予約録画という通常動作に係るものであるが、この実施形態に係る番組記録再生装置Ａ-1，Ｂ，Ｃ，Ｄの特徴は、（ａ）インターネット１０を介して番組予約リストを相互に交換し合う点、及び（ｂ）自機番組予約リストと他の番組記録再生装置から受信した番組予約リストを用いて最終的に適用する番組予約リストを設定する点にある。図３は前記特徴点に係る全体的処理［（ｂ）に係る処理の詳細は図４乃至図１０に譲る］を番組記録再生装置Ａ-1での動作を中心に示した通信シーケンス図である。
【００１８】
先ず、上述の手順により番組記録再生装置Ａ-1で自機番組予約リストを作成（又は変更）してメモリ２２にセーブさせると、制御部２１はネットワークＩ／Ｆ２０からインターネット１０を介して他の番組記録再生装置Ｂ，Ｃ，Ｄへリスト確認要求を送信する（S1,S2）。但し、各番組記録再生装置Ａ-1，Ｂ，Ｃ，Ｄには予め他の番組記録再生装置のＩＰアドレスやＭＣＡアドレスと各装置の機器ＩＤが登録されている。
【００１９】
インターネット１０から前記リスト確認要求を受信した番組記録再生装置Ｂ，Ｃ，Ｄでは自機のメモリに番組予約リストがセーブされているか否かを確認し、リストの有無を示す応答信号を返信する（S3,S4）。番組記録再生装置Ａ-1では“リスト有り”の応答信号を返送した他の番組記録再生装置（Ｂ，Ｃ，Ｄ）に対してリスト送信要求を送信し、それを受信した他の番組記録再生装置（Ｂ，Ｃ，Ｄ）が自機の番組予約リストデータを番組記録再生装置Ａ-1へ送信する(S5,S6,S7)。番組記録再生装置Ａ-1は受信した各番組予約リストデータをメモリ２２にセーブする（S8）。尚、インターネット１０を経由して番組予約リストデータを送受信するためにはデータ交換フォーマットを設定しておく必要があるが、例えば、図５に示すような表形式のデータ構造とし、番組名やチャンネル番号や時間等をテキストデータとしてセル毎にタブ区切りで区分し、伝送可能なバイナリ形式にエンコードしてパケット送信する方式や、ＨＴＭＬ形式のデータ構造としてＨＴＴＰ（Hyper Text Transfer Protocol）に基づいて送信する方式が採用できる。
【００２０】
そして、番組記録再生装置Ａ-1では、リモコンから番組予約リストの合成編成が指示されると、制御部２１はその指示信号を受光部１８からリモコンＩ／Ｆを介して受信して後述する合成編成手順を実行する（S9,S10）。また、合成編成したリストは自機で最終的に適用する番組予約リストとして設定される（S11）。一方、前記ステップS5で番組記録再生装置Ｂ，Ｃ，Ｄからの応答信号が全て“リスト無し”の場合、又は“リスト有り”の応答信号が得られていてもステップS9で番組予約リストの合成編成をしない旨の指示がなされた場合には、自機番組予約リストがそのまま適用される（S5,S9→S12）。
【００２１】
ところで、この実施形態に係る特徴的手順である前記合成編成手順は、他の番組記録再生装置Ｂ，Ｃ，Ｄから受信できた番組予約リストが単一である場合と複数である場合とに分けて以下のように実行される。
先ず、単一の番組予約リストだけを受信した場合（ここでは番組記録再生装置Ｂの番組予約リストだけが受信できた場合）の合成編成手順は図４に示される。番組記録再生装置Ａ-1において、番組予約リストの合成編成が指示されると、制御部２１は予め作成してある自機番組予約リストと受信した番組記録再生装置Ｂの番組予約リストとをそれぞれメモリ２２のワークエリアに読み出す（S21,S22）。そして、制御部２１は、自機番組予約リストを優先させる条件で双方の番組予約リストの論理和をとることにより合成編成した番組予約リストを作成し、その作成した番組予約リストを新たにメモリ２２に格納する（S23,S24）。
【００２２】
具体的には、例えば、自機番組予約リストが図５（Ａ）のタイムテーブルで示されるものであり、受信した番組記録再生装置Ｂの番組予約リストが図５（Ｂ）のタイムテーブルで示されるものであった場合には、ＴＶチューナ部１１が単一であると同一時間帯での予約チャンネルも１つだけであるため、合成編成した番組予約リストは図６に示すようなタイムテーブルとなり、その番組予約リストが番組記録再生装置Ａ-1において最終的に適用されることになる。
【００２３】
一方、複数の番組予約リストを受信した場合（ここでは番組記録再生装置Ｂ，Ｃ，Ｄの番組予約リストが受信できた場合）の合成編成手順は図７に示される。この場合においても、番組予約リストの合成編成が指示されることにより、制御部２１が予め作成してある自機番組予約リストと受信した番組記録再生装置Ｂ，Ｃ，Ｄの番組予約リストとをそれぞれメモリ２２のワークエリアに読み出す（S31〜S33）。ここで、図４における合成編成手順では直ちに双方の番組予約リストの論理和をとって新たな番組予約リストの作成を行っているが、この場合には他の番組記録再生装置Ｂ，Ｃ，Ｄの番組予約リストが複数であるため、それらの各番組予約リストに基づいて予約放送番組の出現頻度リストを作成する（S34）。例えば、図８に示すように、番組記録再生装置Ｂ，Ｃ，Ｄによる各時間帯についての各チャンネルの予約件数をタイムテーブルとしたものであり、図５（Ａ）に示した自機番組予約リストと符合するようになっている。
【００２４】
そして、制御部２１は自機番組予約リストを最優先させること、及び他の番組記録再生装置Ｂ，Ｃ，Ｄの番組予約リスト相互間では前記出現頻度リストにおいて出現頻度が高いチャンネル（放送番組）を優先させることを条件として、各番組予約リストの論理和をとって合成編成した番組予約リストを作成し、その作成した番組予約リストを新たにメモリ２２に格納する（S35,S36）。従って、自機番組予約リストが図５（Ａ）に示したものであり、出現頻度リストが図８に示すものであった場合には、合成編成した番組予約リストは図９に示すようなタイムテーブルとなり、その番組予約リストが最終的に適用されることになる。
【００２５】
ところで、図７のフローチャートでは他の番組記録再生装置が３台（Ｂ，Ｃ，Ｄ）の場合について説明しているが、実際には更に多くの番組記録再生装置との間でネットワークを構成して番組予約リストデータを受信する場合の方が一般的である。そのような場合には、前記出現頻度リストは常に全時間帯において各チャンネルが予約されているような場合が多くなり、必然的に合成編成した番組予約リストも全時間帯においてチャンネル（放送番組）が予約されることになるため、たとえ低レートでハードディスクやＤＶＤに記録を行うとしても比較的短期間で容量オーバーになってしまうことが想定される。
【００２６】
その問題に対しては、出現頻度リストにおいて頻度数が所定値以上のチャンネル（放送番組）だけを自機番組予約リストとの論理和の対象とする方式を採用すれば、自機で予約したチャンネル（放送番組）と、より多く視聴されるチャンネル（放送番組）とを予約して録画させることができる。例えば、自機番組予約リストが図５（Ａ）に示すものであり、図８の出現頻度リストにおいて頻度数が３以上のものだけを論理和の対象にする場合には、合成編成した番組予約リストが図１０に示すようなタイムテーブルとなり、図９で組み込まれていた時間帯１８：００〜１９：００と時間帯２２：００〜２３：００のＣＨ２は頻度数が２であるために除外されている。そして、図８の出現頻度リストで頻度数が３以上のチャンネル（放送番組）は時間帯１９：００〜２０：００のＣＨ２と時間帯２０：００〜２１：００のＣＨ１だけであり、それらが論理和の対象となるが、前者については自機番組予約リストにおける時間帯１９：００〜２０：００のＣＨ１と時間的に重複するために優先度の制約により組み込まれず、結果的に後者の時間帯２０：００〜２１：００のＣＨ１だけが合成編成後の番組予約リストに組み込まれている。
【００２７】
この実施形態の番組記録再生装置によれば、友人やサークル等のメンバー同士が簡単な操作で共通の放送番組を自動的に予約録画することができる。その結果、各自が同一の放送番組を視聴したことに基づいて相互にコンテンツの批評や感想を述べ合う等のように共通の話題を持ち易くなり、コミュニケーションの充実と拡大を図れるという効果を生じさせる。
【００２８】
［実施形態２］
この実施形態に係る番組記録再生装置Ａ-2の構成は図１１のブロック図に示される。同図と図１において同一符号で示されているものは同一の機能部分である。この番組記録再生装置Ａ-2の特徴は、実施形態１の番組記録再生装置Ａ-1がネットワークＩ／Ｆ２０を有しており、他の番組記録再生装置Ｂ，Ｃ，Ｄからインターネット１０を介して番組予約リストを受信するのに対して、所定仕様のメモリカード３１に対応したリーダ／ライタ３２とメモリカードＩ／Ｆ３３を備えている点にある。
【００２９】
従って、他の番組記録再生装置Ｂ，Ｃ，Ｄも同様の構成を備えていれば、それぞれのユーザが自機番組予約リストをメモリカード３１に書き込んでおき、そのメモリカード３１を相互に交換し合ってリーダ／ライタ３２から自らの番組記録再生装置Ａ-2，Ｂ，Ｃ，Ｄのメモリ２２に取り込むようにすると、実施形態１の場合と同様に各番組記録再生装置Ａ-2，Ｂ，Ｃ，Ｄの番組予約リストを合成編成した番組予約リストを作成することができる。即ち、自機番組予約リストを通信により交換し合うか記憶媒体の受け渡しによって交換し合うかの相違だけであり、実施形態１の場合と同様の機能を実現できる。
【００３０】
［実施形態３］
この実施形態に係る番組記録再生装置Ａ-3の構成は図１２のブロック図に示される。このブロック図においても図１の場合と同一符号で示されているものは同一の機能部分である。この番組記録再生装置Ａ-3の特徴は、ＩＥＥＥ（Institute of Electronic and Electronics Engineers）1394Ｉ／Ｆ４１を備えており、ＩＥＥＥ1394（i-Link）バスで外部のデジタル機器であるＤ-ＶＨＳ（登録商標）レコーダ４２やディスクレコーダ４３に接続されている点にある。
【００３１】
ＴＶチューナ部１１で復調したデジタル放送のトランスポートストリームをＩＥＥＥ1394 Ｉ／Ｆ４１でパーシャルストリームに再編して外部デジタル機器４２，４３へ出力させる。ＩＥＥＥ1394を介して外部デジタル機器４２，４３の電源ＯＮ／ＯＦＦや記録開始／終了等のコマンド送信が可能であるため、番組記録再生装置Ａ-3側で上述の番組予約機能を含む総合的な管理が実現できる。尚、図１２では実施形態１の場合と同様にインターネット１０を介して他の番組記録再生装置Ｂ，Ｃ，Ｄと番組予約リストを交換する構成になっているが、実施形態２（図１１）のようにメモリカード３１を用いてリード／ライトする構成であってもよい。
【００３２】
［実施形態４］
この実施形態に係る番組記録再生装置Ａ-4の構成は図１３のブロック図に示される。このブロック図において図１及び図１２の場合と同一符号で示されているものは同一の機能部分である。この番組記録再生装置Ａ-4の特徴は、再生用のモニタ５１の上側にカメラ・マイクロホン５２が付設されており、その出力信号をエンコードするエンコーダ５３と、ネットワークＩ／Ｆ２０'と接続されており、他の番組記録再生装置Ｂ，Ｃ，Ｄ側とＳＰＩ（Session Initiation Protocol）方式又はＩＴＵ-Ｔ勧告のＨ.３２３方式による映像・音声信号の送受信を実行する通信制御部５４と、通信制御部５４で受信した他の番組記録再生装置Ｂ，Ｃ，Ｄ側からの映像・音声信号をデコードしてＯＳＤ部１７'へ出力させるデコーダ５５とを備え、デコードされた映像信号をモニタ５１の画面の右下にオーバーレイ表示させると共に音声信号も再生出力させる点にある。即ち、上述の各実施形態の番組記録再生装置Ａ-1〜3にＴＶ電話システムを導入した構成であり、当然に他の番組記録再生装置Ｂ，Ｃ，Ｄ側も同様の構成を有していることが前提である。
【００３３】
この実施形態の番組記録再生装置Ａ-4によれば、実施形態１の場合と同様に合成編成した番組予約リストの作成機能を備えていることにより、番組記録再生装置Ａ-4，Ｂ，Ｃ，Ｄの各ユーザが同一の放送番組を予約録画して視聴する機会が多くなるが、前記ＴＶ電話システムが組み込まれているために、各ユーザは、同一の放送番組を視聴しながら又はその視聴後に、モニタ５１にオーバーレイ表示された相手側ユーザと会話することができる。従って、ユーザ同士がコンテンツを介してより密なコミュニケーションを持つことができる。
【産業上の利用可能性】
【００３４】
本発明はＤＶＤレコーダ等の番組記録再生装置に適用することができる。
【図面の簡単な説明】
【００３５】
【図１】本発明の実施形態１に係る番組記録再生装置Ａ-1をブロック図で示すと共に、その番組記録再生装置Ａ-1と他の番組記録再生装置Ｂ，Ｃ，Ｄとがインターネットを介して接続されているネットワーク構成を示す図である。
【図２】番組記録再生装置で作成された自機番組予約リストの構成図である。
【図３】実施形態１の番組記録再生装置Ａ-1における他の番組記録再生装置Ｂ，Ｃ，Ｄとの間での自機番組予約リストの交換、及び編成合成した番組予約リストの作成に関する全体的処理手順を示すフローチャートである。
【図４】受信した番組予約リストが１件の場合における編成合成した番組予約リストの作成手順を示すフローチャートである。
【図５】（Ａ）は番組記録再生装置Ａ-1における自機番組予約リストのタイムテーブル、（Ｂ）は番組記録再生装置Ｂにおける自機番組予約リストのタイムテーブルである。
【図６】番組記録再生装置Ａ-1で合成編成された番組予約リストのタイムテーブルである。
【図７】受信した番組予約リストが複数件の場合における編成合成した番組予約リストの作成手順を示すフローチャートである。
【図８】番組記録再生装置Ｂ，Ｃ，Ｄにおける予約放送番組の出現頻度リストである。
【図９】番組記録再生装置Ａ-1で合成編成された番組予約リストのタイムテーブルである。
【図１０】番組記録再生装置Ａ-1で合成編成された番組予約リストのタイムテーブルである。
【図１１】実施形態２に係る番組記録再生装置Ａ-2のブロック図である。
【図１２】実施形態３に係る番組記録再生装置Ａ-3をブロック図で示すと共に、その番組記録再生装置Ａ-3と他の番組記録再生装置Ｂ，Ｃ，Ｄとがインターネットを介して接続されているネットワーク構成を示す図である。
【図１３】実施形態４に係る番組記録再生装置Ａ-4をブロック図で示すと共に、その番組記録再生装置Ａ-4と他の番組記録再生装置Ｂ，Ｃ，Ｄとがインターネットを介して接続されているネットワーク構成を示す図である。
【符号の説明】
【００３６】
Ａ-1Ａ-2,Ａ-3,Ａ-4,Ｂ,Ｃ,Ｄ…番組記録再生装置、１０…インターネット、１１…ＴＶチューナ部、１２…エンコーダ部、１３…ハードディスク装置、１４…ＤＶＤドライブ、１５…ドライブＩ／Ｆ、１６…デコーダ部、１７,１７'…ＯＳＤ（On Screen Display）部、１８…受光部、１９…リモコンＩ／Ｆ、２０,２０'…ネットワークＩ／Ｆ、２１…制御部（ＭＰＵ）、２２…メモリ、３１…メモリカード、３２…リーダ／ライタ、３３…メモリカードＩ／Ｆ、４１…ＩＥＥＥ1394Ｉ／Ｆ、４２…Ｄ-ＶＨＳレコーダ、４３…ディスクレコーダ、５１…モニタ、５２…カメラ・マイクロホン、５３…エンコーダ、５４…通信制御部、５５…デコーダ。
【図１】
2006295571.tif 000003
【図２】
2006295571.tif 000004
【図３】
2006295571.tif 000005
【図４】
2006295571.tif 000006
【図５】
2006295571.tif 000007
【図６】
2006295571.tif 000008
【図７】
2006295571.tif 000009
【図８】
2006295571.tif 000010
【図９】
2006295571.tif 000011
【図１０】
2006295571.tif 000012
【図１１】
2006295571.tif 000013
【図１２】
2006295571.tif 000014
【図１３】
2006295571.tif 000015